(57)【要約】【課題】壁面に対する取り付けが容易で美感に優れ、種々の厚さの壁に対応できるニッチ等の取付け構造及び方法を提供する。【解決手段】上記課題を解決するために本発明のニッチの取付け構造は、内部に空間２ｓを形成し、壁穴１２ａに取り付けられる、箱形状のニッチ本体２と、該ニッチ本体２から外方向へ延びる鍔部２ｆとを有するニッチ１と、第１及び第２の支持部８ａ、８ｂを有する取付け部材本体８と、第２の支持部８ｂに取り付けられ、第１の支持部８ａ側の端部に押圧部９ｃを有する調節ボルト９と、を夫々備える少なくとも一対の調節取付け部材６とを備え、各調節取付け部材６を壁穴１２ａの内縁部１２ｃに対して該内縁部１２ｃを挟持して取り付けた後、ニッチ本体２を壁穴１２ａに挿通させ、鍔部２ｆを第１の支持部８ａと係合させて取り付けることによって構成されている。【選択図】図１
2015194067.tif 000002
【特許請求の範囲】
【請求項１】
壁に形成された壁穴にニッチを取り付けるニッチの取付け構造において、
内部に空間（２ｓ）を形成し、壁（１２）の壁穴（１２ａ）に取り付けられる、箱形状のニッチ本体（２）と、該ニッチ本体（２）から壁面（１２ｂ）に平行な方向へ延びる鍔部（２ｆ）と、を有するニッチ（１）と、
前後方向に配置された一対の第１及び第２の支持部（８ａ、８ｂ）を有する取付け部材本体（８）と、該第１及び第２の支持部（８ａ、８ｂ）の一方に対して前後方向に移動可能に取り付けられた調節移動部材（９）であって、且つ該第１及び第２の支持部（８ａ、８ｂ）の他方側の端部に押圧部（９ｃ）を有する前記調節移動部材（９）と、を夫々備える少なくとも一対の調節取付け部材（６）と、を備え、
前記各調節取付け部材（６）を前記壁穴（１２ａ）の内縁部（１２ｃ）に対して、前記支持部の他方と調節移動部材（９）の押圧部（９ｃ）との間に、該壁穴（１２ａ）の内縁部（１２ｃ）を位置させて、前記調節移動部材（９）の移動操作によって該内縁部（１２ｃ）を押圧的に挟持して取り付け、
しかる後に、ニッチ（１）を前記壁穴（１２ａ）に対して、前記ニッチ本体（２）の鍔部（２ｆ）が壁面（１２ｂ）に当接乃至近接するまで、ニッチ本体（２）を挿通せしめ、
該鍔部（２ｆ）を前記各調節取付け部材（６）の壁前面側の支持部（８ａ）と係合させて取り付けるようにしたことを特徴とするニッチの取付け構造。
【請求項２】
請求項１記載のニッチの取付け構造において、
前記調節移動部材（９）は調節ボルト（９）であって、該調節ボルト（９）は、前記第１及び第２の支持部（８ａ、８ｂ）のうち壁後方の第２の支持部（８ｂ）に螺合して取付けられており、調節ボルト（９）前面の押圧部（９ｃ）と壁前方の第１の支持部（８ａ）との間に前記壁穴（１２ａ）の内縁部（１２ｃ）を挟持することを特徴とするニッチの取付け構造。
【請求項３】
請求項１又は２記載のニッチの取付け構造において、
前記ニッチ本体（２）は、上板部（２ａ）、下板部（２ｂ）及び左右の側板部（２ｃ、２ｄ）で上下左右の四方を囲った側枠部（２０）と、該側枠部（２０）の背面を閉塞する背板部（２ｅ）とを有し、
前記両側板部（２ｃ、２ｄ）の鍔部（２ｆ）が、前記各調節取付け部材（６）の第１の支持部（８ａ）と係合して取り付けられていることを特徴とするニッチの取付け構造。
【請求項４】
請求項１乃至３の何れかに記載のニッチの取付け構造において、
前記少なくとも一対設けられる調節取付け部材（６）の取付け部材本体（８）は、壁前方及び後方に夫々配置される第１及び第２の支持部（８ａ、８ｂ）と、これらの内方端部を接続する前後方向に伸びる側部（８ｃ）とを備える、断面コ字形等の板材からなり、
前記調節移動部材（９）は調節ボルト（９）であり、前記第２の支持部（８ｂ）に形成されているねじ穴と螺合する軸部（９ａ）と、該軸部（９ａ）の後部に設けられる操作つまみ（９ｂ）と、該軸部（９ａ）の前部に設けられる押圧部（９ｃ）と、を備えていることを特徴とするニッチの取付け構造。
【請求項５】
請求項１乃至４の何れかに記載のニッチの取付け構造において、
前記ニッチ本体（２）から延びる鍔部（２ｆ）は、該鍔部（２ｆ）の後面と、前記取付け部材本体（８）の壁前方の第１の支持部（８ａ）の前面との間に配置される一対の面ファスナー（７ｂ、１０）により取付け部材本体（８）に固着されていることを特徴とするニッチの取付け構造。
【請求項６】
請求項３乃至５の何れかに記載のニッチの取付け構造において、
前記ニッチ本体（２）の下板部（２ｂ）の上面には、前方に庇状に延びる底板部（３）が取り付けられており、
前記底板部（３）は、該底板部（３）の下面と、前記ニッチ本体（２）の下板部（２ｂ）の上面との間に配置される一対の面ファスナー（７ａ、１１）によりニッチ本体（２）に固着されていることを特徴とするニッチの取付け構造。
【請求項７】
請求項１乃至６の何れかに記載の収納筐体の取付け構造において、
前記ニッチ本体（２）の鍔部（２ｆ）は、ニッチ本体（２）における前端部全周に亘って形成される鍔部（２ｆ）であることを特徴とする収納筐体の取付け構造。
【請求項８】
壁に形成された壁穴にニッチを取り付けるニッチの取付け方法において、
内部に空間（２ｓ）を形成し、壁（１２）の壁穴（１２ａ）に取り付けられる、箱形状のニッチ本体（２）と、該ニッチ本体（２）から壁面（１２ｂ）に平行な方向へ延びる鍔部（２ｆ）とを有するニッチ（１）を用意するニッチ準備工程と、
前後方向に配置された第１及び第２の支持部（８ａ、８ｂ）を有する取付け部材本体（８）と、該第１及び第２の支持部（８ａ、８ｂ）の一方に対して前後方向に移動可能に取り付けられた調節移動部材（９）であって、且つ該第１及び第２の支持部（８ａ、８ｂ）の他方側の端部に押圧部（９ｃ）を有する前記調節移動部材（９）と、を夫々備える少なくとも一対の調節移動部材（６）を用意する調節取付け部材準備工程と、
前記各調節取付け部材（６）を前記壁穴（１２ａ）に対して、前記支持部の他方と調節移動部材（９）の押圧部（９ｃ）との間に該壁穴（１２ａ）の内縁部（１２ｃ）を位置させて、前記調節移動部材（９）の操作によって該内縁部（１２ｃ）を押圧的に挟持して取り付ける調整取付け部材の取付け工程と、
しかる後に、ニッチ（１）を前記壁穴（１２ａ）に対して、前記ニッチ本体（２）から延びる鍔部（２ｆ）が壁面（１２ｂ）に当接乃至近接するまで、ニッチ本体（２）を挿通せしめるニッチ本体挿通工程と、
該鍔部（２ｆ）を前記各調節取付け部材（６）の壁前面側の支持部（８ａ）と係合させて取り付ける鍔部取付け工程と、を備えていることを特徴とするニッチの取付け方法。
【請求項９】
請求項８記載のニッチの取付け方法において、
前記調節移動部材（９）は調節ボルト（９）であって、該調節ボルト（９）は、前記第１及び第２の支持部（８ａ、８ｂ）のうち壁後方の第２の支持部（８ｂ）に螺合して取付けられており、調節ボルト（９）前面の押圧部（９ｃ）と壁前方の第１の支持部（８ａ）との間に前記壁穴（１２ａ）の内縁部（１２ｃ）を挟持することを特徴とするニッチの取付け方法。
【請求項１０】
請求項８又は９記載のニッチの取付け方法において、
前記ニッチ本体（２）は、上板部（２ａ）、下板部（２ｂ）及び左右の側板部（２ｃ、２ｄ）で上下左右の四方を囲った側枠部（２０）と、該側枠部（２０）の背面を閉塞する背板部（２ｅ）とを有し、
前記鍔部取付け工程は、前記両側板部（２ｃ、２ｄ）の鍔部（２ｆ）を、前記各調節取付け部材（６）の第１の支持部（８ａ）と係合させて取り付けることによって構成されていることを特徴とするニッチの取付け方法。
【請求項１１】
請求項８乃至１０の何れかに記載のニッチの取付け方法において、
前記少なくとも一対設けられる調節用取付け部材（６）の取付け部材本体（８）は、壁前方及び後方に夫々配置される第１及び第２の支持部（８ａ、８ｂ）と、これらの内方端部を接続する前後方向に伸びる側部（８ｃ）とを備える、断面コ字形等の板材からなり、
前記調節移動部材（９）は調節ボルト（９）であり、前記第２の支持部（８ｂ）に形成されているねじ穴と螺合する軸部（９ａ）と、該軸部（９ａ）の後部に設けられる操作つまみ（９ｂ）と、該軸部（９ａ）の前部に設けられる押圧部（９ｃ）と、を備えていることを特徴とするニッチの取付け方法。
【請求項１２】
請求項８乃至１１の何れかに記載のニッチの取付け方法において、
前記鍔部取付け工程では、前記ニッチ本体（２）から延びる鍔部（２ｆ）が、該鍔部（２ｆ）の後面と、前記取付け部材本体（８）の第１の支持部（８ａ）の前面との間に配置される一対の面ファスナー（７ｂ、１０）により取付け部材本体（８）に固着されることを特徴とするニッチの取付け方法。
【請求項１３】
請求項１０乃至１２の何れかに記載のニッチの取付け方法において、
前記ニッチ本体（２）の下板部（２ｂ）の上面に、底板部（３）を取り付ける底板部取付け工程とが更に備えられており、
前記底板部取付け工程では、前記底板部（３）が、該底板部（３）の下面と、前記ニッチ本体（２）の下板部（２ｂ）の上面との間に配置される一対の面ファスナー（７ａ、１１）によりニッチ本体（２）に固着されることを特徴とするニッチの取付け方法。
【請求項１４】
壁に形成された壁穴に筐体を取り付ける収納筐体の取付け構造において、
内部に空間（３２ｓ）を形成し、壁（１２）の壁穴（１２ａ）に取り付けられる、箱形状の収納本体（３２）と、該収納本体（３２）から壁面（１２ｂ）に平行な方向へ延びる凸部（３２ｆ）と、を有する収納筐体（３１）と、
前後方向に配置された一対の第１及び第２の支持部（３８ａ、３８ｂ）を有する取付け部材本体（３８）と、該第１及び第２の支持部（３８ａ、３８ｂ）の一方に対して前後方向に移動可能に取り付けられた調節移動部材（３９）であって、且つ該第１及び第２の支持部（３８ａ、３８ｂ）の他方側の端部に押圧部（３９ｃ）を有する前記調節移動部材（３９）と、を夫々備える少なくとも一対の調節取付け部材（３６）と、を備え、
前記各調節取付け部材（３６）を前記壁穴（１２ａ）の内縁部（１２ｃ）に対して、前記支持部の他方と調節移動部材（３９）の押圧部（３９ｃ）との間に、該壁穴（１２ａ）の内縁部（１２ｃ）を位置させて、前記調節移動部材（３９）の移動操作によって該内縁部（１２ｃ）を押圧的に挟持して取り付け、
しかる後に、前記収納筐体（３１）を前記壁穴（１２ａ）に対して、前記収納本体（３２）の凸部（３２ｆ）が壁面（１２ｂ）に当接乃至近接するまで、該収納筐体（３１）を挿通せしめ、
該収納筐体（３１）と少なくとも一対の調節取付け部材（３６）とを固定して取り付けるようにしたことを特徴とする収納筐体の取付け構造。
【請求項１５】
請求項１４記載の収納筐体の取付け構造において、
前記調節移動部材（３９）は調節ボルト（３９）であって、該調節ボルト（３９）は、前記第１及び第２の支持部（３８ａ、３８ｂ）のうち壁後方の第２の支持部（３８ｂ）に螺合して取付けられており、調節ボルト（３９）前面の押圧部（３９ｃ）と壁前方の第１の支持部（３８ａ）との間に前記壁穴（１２ａ）の内縁部（１２ｃ）を挟持することを特徴とする収納筐体の取付け構造。
【請求項１６】
請求項１４又は１５記載の収納筐体の取付け構造において、
前記収納本体（３２）は、上板部（３２ａ）、下板部（３２ｂ）及び左右の側板部（３２ｃ、３２ｄ）で上下左右の四方を囲った側枠部（４０）と、該側枠部（４０）の背面を閉塞する背板部（３２ｅ）とを有し、
前記上板部（３２ａ）と下板部（３２ｂ）が固定手段（３７）によって、前記各調節取付け部材（３６）の一部と固定されていることを特徴とする収納筐体の取付け構造。
【請求項１７】
請求項１４乃至１６の何れかに記載の収納筐体の取付け構造において、
前記少なくとも一対設けられる調節取付け部材（３６）の取付け部材本体（３８）は、壁前方及び後方に夫々配置される第１及び第２の支持部（３８ａ、３８ｂ）と、これらの内方端部を接続する前後方向に伸びる側部（３８ｃ）とを備える、断面コ字形等の板材からなり、
前記調節移動部材（３９）は調節ボルト（３９）であり、前記第２の支持部（３８ｂ）に形成されているねじ穴と螺合する軸部（３９ａ）と、該軸部（３９ａ）の後部に設けられる操作部（３９ｂ）と、該軸部（３９ａ）の前部に設けられる押圧部（３９ｃ）と、を備えていることを特徴とする収納筐体の取付け構造。
【請求項１８】
請求項１４乃至１７の何れかに記載の収納筐体の取付け構造において、
前記収納本体（３２）の開放された前面部には、その内部の空間（３２ｓ）を覆う、開閉自在の扉（５０）が取り付けられていることを特徴とする収納筐体の取付け構造。
【請求項１９】
請求項１８記載の収納筐体の取付け構造において、
前記、扉（５０）の上部には、収納物（５１）を入れる投入口（５２）が形成されており、
前記、扉（５０）の裏面側には、上面部（５３ａ）が開放された収納内箱（５３）が配置されており、該収納内箱（５３）の開放された上面部（５３ａ）の位置が前記投入口（５２）の下縁（５２ａ）の位置よりも低い位置に設定されていることを特徴とする収納筐体の取付け構造。
【請求項２０】
請求項１４乃至１９の何れかに記載の収納筐体の取付け構造において、
前記収納筐体（３２）の凸部（３２ｆ）は、収納本体（３２）の側枠部（４０）における前端部全周に亘って形成される鍔部（３２ｆ）であることを特徴とする収納筐体の取付け構造。
【請求項２１】
壁に形成された壁穴に収納筐体を取り付ける収納筐体の取付け方法において、
内部に空間（３２ｓ）を形成し、壁（１２）の壁穴（１２ａ）に取り付けられる、箱形状の収納本体（３２）と、該収納本体（３２）から壁面（１２ｂ）に平行な方向へ延びる凸部（３２ｆ）とを有する収納筐体（３１）を用意する筐体準備工程と、
前後方向に配置された第１及び第２の支持部（３８ａ、３８ｂ）を有する取付け部材本体（３８）と、該第１及び第２の支持部（３８ａ、３８ｂ）の一方に対して前後方向に移動可能に取り付けられた調節移動部材（３９）であって、且つ該第１及び第２の支持部（３８ａ、３８ｂ）の他方側の端部に押圧部（３９ｃ）を有する前記調節移動部材（３９）と、を夫々備える少なくとも一対の調節移動部材（３６）を用意する調節取付け部材準備工程と、
前記各調節取付け部材（３６）を前記壁穴（１２ａ）に対して、前記支持部の他方と調節移動部材（３９）の押圧部（３９ｃ）との間に該壁穴（１２ａ）の内縁部（１２ｃ）を位置させて、前記調節移動部材（３９）の操作によって該内縁部（１２ｃ）を押圧的に挟持して取り付ける調整取付け部材の取付け工程と、
しかる後に、収納筐体（３１）を前記壁穴（１２ａ）に対して、収納本体（３２）から延びる凸部（３２ｆ）が壁面（１２ｂ）に当接乃至近接するまで、収納本体（３２）を挿通せしめた後に、該収納本体（３２）と、前記調節取付け部材（３６）とを固定する収納本体挿通・固定工程と、
を備えていることを特徴とする収納筐体の取付け方法。
【請求項２２】
請求項２１記載の収納筐体の取付け方法において、
前記調節移動部材（３９）は調節ボルト（３９）であって、該調節ボルト（３９）は、前記第１及び第２の支持部（３８ａ、３８ｂ）のうち壁後方の第２の支持部（３８ｂ）に螺合して取付けられており、調節ボルト（３９）前面の押圧部（３９ｃ）と壁前方の第１の支持部（３８ａ）との間に前記壁穴（１２ａ）の内縁部（１２ｃ）を挟持することを特徴とする収納筐体の取付け方法。
【発明の詳細な説明】
【技術分野】
【０００１】
本発明は、建築物内部の壁面の一部を刳り貫いて、装飾品、花、写真等の展示スペースを提供するニッチや、ゴミ、各種物品の収納スペースを提供する収納筐体等を取り付ける場合に使用できるニッチ及び収納筐体の取付け構造及び取付け方法に関する。
【背景技術】
【０００２】
従来から、住宅の玄関等の壁面の一部を刳り貫いて窪みを作り、その窪みをディスプレイに利用して装飾品や花、あるいは写真等を展示することが行われている。また、最近では、上記壁面の一部に形成した壁穴に設置する目的で規格化された下記の特許文献１乃至３に示すようなニッチも登場して来ている。  
【０００３】
このうち、特許文献１では、照明器具を設けたニッチに対して、該照明器具を隠す前面板を備えることで見栄えを向上させたニッチが開示されている。
また、特許文献２では、背板を嵌め込み構造にすることで、背板を着脱可能に構成したニッチが開示されており、ニッチに飾る装飾品と共に、装飾品や季節に合わせて背板を取替え可能にしたニッチについて説明している。  
【０００４】
更に、特許文献３では、ニッチ本体の外周側部に前面に扉を設けた棚状の収納部を設け、ニッチ本体の外周下部に引出し式の収納部を備えたニッチが開示されており、装飾品の展示スペースに加えて、物品の収納にも使用できるようにしたニッチについて説明している。
【先行技術文献】
【特許文献】
【０００５】
【特許文献１】特開平９−８８３２５号公報
【特許文献２】特開平９−１２５６７６号公報
【特許文献３】特開平９−１２５６７７号公報
【発明の概要】
【発明が解決しようとする課題】
【０００６】
しかし、上記特許文献１乃至３では、ニッチの見栄えを良くしたり、使い勝手や収納性を向上させるといったニッチ自体の構成に重点が置かれている。従って、ニッチの取り付けを容易にするニッチの取付け構造については何ら触れられていない。  
【０００７】
また一般に、ニッチを建築物内部の壁面に取り付ける場合には、壁面に壁穴を開けて周囲の壁紙を壁穴の内周面に巻き付け、更にビスを使用してニッチを壁面に取り付けていた。また、ニッチを取り付けた後、パテで隙間を埋めたり、壁紙を貼り足したりする後工程が必要であった。
【０００８】
更に、ニッチを取り付ける壁の厚さによって、使用できるニッチが限定されたり、ニッチを取り付けるために別途、加工が必要になる場合があった。  
また、上述したニッチに限らず各種建築物の壁面の一部を刳り貫いて窪みを作り、その窪みをゴミや各種物品を入れる収納スペースに利用する試みも一部で行われている。そして、ゴミや各種物品を入れる収納筐体の取り付けに当たっても上記ニッチと同様の課題が存在していた。
【０００９】
以上、本発明が解決しようとする課題をまとめると、別段の固定作業を必要とすることなく、ニッチ又は収納筐体（以下、ニッチ等という）を壁面に容易に取り付けることができ、取り付け後の美感に優れ、種々の厚さの壁に対応し得るニッチ等の取付け構造及びニッチ等の取付け方法を提供することである。
【００１０】
また、壁の後面側からの作業を殆ど必要としないため、既存の壁の前面側から壁穴を加工するのみで容易にニッチ等の取付けを行う事ができ、適用範囲が広い。
【課題を解決するための手段】
【００１１】
上記課題を解決するために、本発明の請求項１記載のニッチの取付け構造は、壁に形成された壁穴にニッチを取り付けるニッチの取付け構造において、
内部に空間（２ｓ）を形成し、壁（１２）の壁穴（１２ａ）に取り付けられる、箱形状のニッチ本体（２）と、該ニッチ本体（２）から壁面（１２ｂ）に平行な方向へ延びる鍔部（２ｆ）と、を有するニッチ（１）と、
前後方向に配置された一対の第１及び第２の支持部（８ａ、８ｂ）を有する取付け部材本体（８）と、該第１及び第２の支持部（８ａ、８ｂ）の一方に対して前後方向に移動可能に取り付けられた調節移動部材（９）であって、且つ該第１及び第２の支持部（８ａ、８ｂ）の他方側の端部に押圧部（９ｃ）を有する前記調節移動部材（９）と、を夫々備える少なくとも一対の調節取付け部材（６）と、を備え、
前記各調節取付け部材（６）を前記壁穴（１２ａ）の内縁部（１２ｃ）に対して、前記支持部の他方と調節移動部材（９）の押圧部（９ｃ）との間に、該壁穴（１２ａ）の内縁部（１２ｃ）を位置させて、前記調節移動部材（９）の移動操作によって該内縁部（１２ｃ）を押圧的に挟持して取り付け、
しかる後に、ニッチ（１）を前記壁穴（１２ａ）に対して、前記ニッチ本体（２）の鍔部（２ｆ）が壁面（１２ｂ）に当接乃至近接するまで、ニッチ本体（２）を挿通せしめ、
該鍔部（２ｆ）を前記各調節取付け部材（６）の壁前面側の支持部（８ａ）と係合させて取り付けるようにしたことを特徴とする。
また、前記調節移動部材（９）は調節ボルト（９）であって、該調節ボルト（９）は、前記第１及び第２の支持部（８ａ、８ｂ）のうち壁後方の第２の支持部（８ｂ）に螺合して取付けられており、調節ボルト（９）前面の押圧部（９ｃ）と壁前方の第１の支持部（８ａ）との間に前記壁穴（１２ａ）の内縁部（１２ｃ）を挟持するようにしてもよい。
【００１２】
また、前記ニッチ本体（２）は、上板部（２ａ）、下板部（２ｂ）及び左右の側板部（２ｃ、２ｄ）で上下左右の四方を囲った側枠部（２０）と、該側枠部（２０）の背面を閉塞する背板部（２ｅ）とを有し、前記両側板部（２ｃ、２ｄ）の鍔部（２ｆ）が、前記各調節取付け部材（６）の第１の支持部（８ａ）と係合して取り付けられていてもよい。
【００１３】
また、前記少なくとも一対設けられる調節取付け部材（６）の取付け部材本体（８）は、壁前方及び後方に夫々配置される第１及び第２の支持部（８ａ、８ｂ）と、これらの内方端部を接続する前後方向に伸びる側部（８ｃ）とを備える、断面コ字形等の板材からなり、前記調節移動部材（９）は調節ボルト（９）であり、前記第２の支持部（８ｂ）に形成されているねじ穴と螺合する軸部（９ａ）と、該軸部（９ａ）の後部に設けられる操作つまみ（９ｂ）と、該軸部（９ａ）の前部に設けられる押圧部（９ｃ）と、を備えていてもよい。
【００１４】
また、前記ニッチ本体（２）から延びる鍔部（２ｆ）は、該鍔部（２ｆ）の後面と、前記取付け部材本体（８）の第１の支持部（８ａ）の前面との間に配置される一対の面ファスナー（７ｂ、１０）により取付け部材本体（８）に固着されていてもよい。
【００１５】
また、前記ニッチ本体（２）の下板部（２ｂ）の上面には、前方に庇状に延びる底板部（３）が取り付けられており、前記底板部（３）は、該底板部（３）の下面と、前記ニッチ本体（２）の下板部（２ｂ）の上面との間に配置される一対の面ファスナー（７ａ、１１）によりニッチ本体（２）に固着されていてもよい。
【００１６】
また、前記ニッチ本体（２）の鍔部（２ｆ）は、ニッチ本体（２）における前端部全周に亘って形成される鍔部（２ｆ）であってもよい。
また、本発明の請求項８記載のニッチの取付け方法は、壁に形成された壁穴にニッチを取り付けるニッチの取付け方法において、
内部に空間（２ｓ）を形成し、壁（１２）の壁穴（１２ａ）に取り付けられる、箱形状のニッチ本体（２）と、該ニッチ本体（２）から壁面（１２ｂ）に平行な方向へ延びる鍔部（２ｆ）とを有するニッチ（１）を用意するニッチ準備工程と、
前後方向に配置された第１及び第２の支持部（８ａ、８ｂ）を有する取付け部材本体（８）と、該第１及び第２の支持部（８ａ、８ｂ）の一方に対して前後方向に移動可能に取り付けられた調節移動部材（９）であって、且つ該第１及び第２の支持部（８ａ、８ｂ）の他方側の端部に押圧部（９ｃ）を有する前記調節移動部材（９）と、を夫々備える少なくとも一対の調節移動部材（６）を用意する調節取付け部材準備工程と、
前記各調節取付け部材（６）を前記壁穴（１２ａ）に対して、前記支持部の他方と調節移動部材（９）の押圧部（９ｃ）との間に該壁穴（１２ａ）の内縁部（１２ｃ）を位置させて、前記調節移動部材（９）の操作によって該内縁部（１２ｃ）を押圧的に挟持して取り付ける調整取付け部材の取付け工程と、
しかる後に、ニッチ（１）を前記壁穴（１２ａ）に対して、前記ニッチ本体（２）から延びる鍔部（２ｆ）が壁面（１２ｂ）に当接乃至近接するまで、ニッチ本体（２）を挿通せしめるニッチ本体挿通工程と、
該鍔部（２ｆ）を前記各調節取付け部材（６）の壁前面側の支持部（８ａ）と係合させて取り付ける鍔部取付け工程と、を備えていることを特徴とする。
また、  前記調節移動部材（９）は調節ボルト（９）であって、該調節ボルト（９）は、前記第１及び第２の支持部（８ａ、８ｂ）のうち壁後方の第２の支持部（８ｂ）に螺合して取付けられており、調節ボルト（９）前面の押圧部（９ｃ）と壁前方の第１の支持部（８ａ）との間に前記壁穴（１２ａ）の内縁部（１２ｃ）を挟持するようにしてもよい。
【００１７】
また、前記ニッチ本体（２）は、上板部（２ａ）、下板部（２ｂ）及び左右の側板部（２ｃ、２ｄ）で上下左右の四方を囲った側枠部（２０）と、該側枠部（２０）の背面を閉塞する背板部（２ｅ）とを有し、前記鍔部取付け工程は、前記両側板部（２ｃ、２ｄ）の鍔部（２ｆ）を、前記各調節取付け部材（６）の第１の支持部（８ａ）と係合させて取り付けることによって構成されていてもよい。
【００１８】
また、前記少なくとも一対設けられる調節用取付け部材（６）の取付け部材本体（８）は、壁前方及び後方に夫々配置される第１及び第２の支持部（８ａ、８ｂ）と、これらの内方端部を接続する前後方向に伸びる側部（８ｃ）とを備える、断面コ字形等の板材からなり、前記調節移動部材（９）は調節ボルト（９）であり、前記第２の支持部（８ｂ）に形成されているねじ穴と螺合する軸部（９ａ）と、該軸部（９ａ）の後部に設けられる操作つまみ（９ｂ）と、該軸部（９ａ）の前部に設けられる押圧部（９ｃ）と、を備えていてもよい。
【００１９】
また、前記鍔部取付け工程では、前記ニッチ本体（２）から延びる鍔部（２ｆ）が、該鍔部（２ｆ）の後面と、前記取付け部材本体（８）の第１の支持部（８ａ）の前面との間に配置される一対の面ファスナー（７ｂ、１０）により取付け部材本体（８）に固着されてもよい。
【００２０】
また、前記ニッチ本体（２）の下板部（２ｂ）の上面に、底板部（３）を取り付ける底板部取付け工程とが更に備えられており、前記底板部取付け工程では、前記底板部（３）が、該底板部（３）の下面と、前記ニッチ本体（２）の下板部（２ｂ）の上面との間に配置される一対の面ファスナー（７ａ、１１）によりニッチ本体（２）に固着されてもよい。
【００２１】
また、前記収納筐体（３２）の凸部（３２ｆ）は、収納本体（３２）の側枠部（４０）における前端部全周に亘って形成される鍔部（３２ｆ）であってもよい。
また、本発明の請求項１４記載の収納筐体の取付け構造は、壁に形成された壁穴に筐体を取り付ける収納筐体の取付け構造において、
内部に空間（３２ｓ）を形成し、壁（１２）の壁穴（１２ａ）に取り付けられる、箱形状の収納本体（３２）と、該収納本体（３２）から壁面（１２ｂ）に平行な方向へ延びる凸部（３２ｆ）と、を有する収納筐体（３１）と、
前後方向に配置された一対の第１及び第２の支持部（３８ａ、３８ｂ）を有する取付け部材本体（３８）と、該第１及び第２の支持部（３８ａ、３８ｂ）の一方に対して前後方向に移動可能に取り付けられた調節移動部材（３９）であって、且つ該第１及び第２の支持部（３８ａ、３８ｂ）の他方側の端部に押圧部（３９ｃ）を有する前記調節移動部材（３９）と、を夫々備える少なくとも一対の調節取付け部材（３６）と、を備え、
前記各調節取付け部材（３６）を前記壁穴（１２ａ）の内縁部（１２ｃ）に対して、前記支持部の他方と調節移動部材（３９）の押圧部（３９ｃ）との間に、該壁穴（１２ａ）の内縁部（１２ｃ）を位置させて、前記調節移動部材（３９）の移動操作によって該内縁部（１２ｃ）を押圧的に挟持して取り付け、
しかる後に、前記収納筐体（３１）を前記壁穴（１２ａ）に対して、前記収納本体（３２）の凸部（３２ｆ）が壁面（１２ｂ）に当接乃至近接するまで、該収納筐体（３１）を挿通せしめ、
該収納筐体（３１）と少なくとも一対の調節取付け部材（３６）とを固定して取り付けるようにしたことを特徴とする。
【００２２】
また、前記調節移動部材（３９）は調節ボルト（３９）であって、該調節ボルト（３９）は、前記第１及び第２の支持部（３８ａ、３８ｂ）のうち壁後方の第２の支持部（３８ｂ）に螺合して取付けられており、調節ボルト（３９）前面の押圧部（３９ｃ）と壁前方の第１の支持部（３８ａ）との間に前記壁穴（１２ａ）の内縁部（１２ｃ）を挟持するようにしてもよい。
また、前記収納本体（３２）は、上板部（３２ａ）、下板部（３２ｂ）及び左右の側板部（３２ｃ、３２ｄ）で上下左右の四方を囲った側枠部（４０）と、該側枠部（４０）の背面を閉塞する背板部（３２ｅ）とを有し、
前記上板部（３２ａ）と下板部（３２ｂ）が固定手段（３７）によって、前記各調節取付け部材（３６）の一部と固定されていてもよい。
【００２３】
また、  前記少なくとも一対設けられる調節取付け部材（３６）の取付け部材本体（３８）は、壁前方及び後方に夫々配置される第１及び第２の支持部（３８ａ、３８ｂ）と、これらの内方端部を接続する前後方向に伸びる側部（３８ｃ）とを備える、断面コ字形等の板材からなり、
前記調節移動部材（３９）は調節ボルト（３９）であり、前記第２の支持部（３８ｂ）に形成されているねじ穴と螺合する軸部（３９ａ）と、該軸部（３９ａ）の後部に設けられる操作部（３９ｂ）と、該軸部（３９ａ）の前部に設けられる押圧部（３９ｃ）と、を備えていてもよい。
【００２４】
また、前記収納本体（３２）の開放された前面部には、その内部の空間（３２ｓ）を覆う、開閉自在の扉（５０）が取り付けられていてもよい。
また、前記、扉（５０）の上部には、収納物（５１）を入れる投入口（５２）が形成されており、
前記、扉（５０）の裏面側には、上面部（５３ａ）が開放された収納内箱（５３）が配置されており、該収納内箱（５３）の開放された上面部（５３ａ）の位置が前記投入口（５２）の下縁（５２ａ）の位置よりも低い位置に設定されていてもよい。
【００２５】
また、前記収納本体（３２）の凸部（３２ｆ）は、収納本体（３２）の側枠部（４０）における前端部全周に亘って形成される鍔部（３２ｆ）であってもよい。
また、本発明の請求項２１記載の収納筐体の取付け方法は、壁に形成された壁穴に収納筐体を取り付ける収納筐体の取付け方法において、
内部に空間（３２ｓ）を形成し、壁（１２）の壁穴（１２ａ）に取り付けられる、箱形状の収納本体（３２）と、該収納本体（３２）から壁面（１２ｂ）に平行な方向へ延びる凸部（３２ｆ）とを有する収納筐体（３１）を用意する筐体準備工程と、
前後方向に配置された第１及び第２の支持部（３８ａ、３８ｂ）を有する取付け部材本体（３８）と、該第１及び第２の支持部（３８ａ、３８ｂ）の一方に対して前後方向に移動可能に取り付けられた調節移動部材（３９）であって、且つ該第１及び第２の支持部（３８ａ、３８ｂ）の他方側の端部に押圧部（３９ｃ）を有する前記調節移動部材（３９）と、を夫々備える少なくとも一対の調節移動部材（３６）を用意する調節取付け部材準備工程と、
前記各調節取付け部材（３６）を前記壁穴（１２ａ）に対して、前記支持部の他方と調節移動部材（３９）の押圧部（３９ｃ）との間に該壁穴（１２ａ）の内縁部（１２ｃ）を位置させて、前記調節移動部材（３９）の操作によって該内縁部（１２ｃ）を押圧的に挟持して取り付ける調整取付け部材の取付け工程と、
しかる後に、収納筐体（３１）を前記壁穴（１２ａ）に対して、収納本体（３２）から延びる凸部（３２ｆ）が壁面（１２ｂ）に当接乃至近接するまで、収納本体（３２）を挿通せしめた後に、該収納本体（３２）と、前記調節取付け部材（３６）とを固定する収納本体挿通・固定工程と、
を備えていることを特徴とする。
【００２６】
また、前記調節移動部材（３９）は調節ボルト（３９）であって、該調節ボルト（３９）は、前記第１及び第２の支持部（３８ａ、３８ｂ）のうち壁後方の第２の支持部（３８ｂ）に螺合して取付けられており、調節ボルト（３９）前面の押圧部（３９ｃ）と壁前方の第１の支持部（３８ａ）との間に前記壁穴（１２ａ）の内縁部（１２ｃ）を挟持してもよい。
【発明の効果】
【００２７】
本発明のニッチの取付け構造及びニッチの取付け方法によれば次に示す効果がある。
（１）先ず、本発明では、ニッチ（１）を壁（１２）に形成された壁穴（１２ａ）に取り付けるに際して、両者の間に調節取付け部材（６）を介在させ、該調節取付け部材（６）の調節ボルト（９）の操作によって該壁穴（１２ａ）の内縁部（１２ｃ）を押圧的に挟持して、該調節取付け部材（６）を取り付けるようにしている。  
【００２８】
従って、壁（１２）の厚さ（ｔ）が異なったとしても、調節取付け部材（６）の調節ボルト（９）の締付け具合を変えて前後に移動調節すればよいので、種々の厚さ（ｔ）の壁（１２）に対してニッチ（１）を取付けることが可能であり、便利である。
（２）また、予め調節取付け部材（６）のみを壁穴（１２ａ）の内縁部（１２ｃ）に取り付けておけば、後はニッチ（１）を壁穴（１２ａ）に挿入するだけで、前記鍔部（２ｆ）が第１の支持部（８ａ）と係合して取り付けが完了する。  
【００２９】
従って、ニッチ（１）を壁穴（１２ａ）に取り付ける際に従来行っていた壁紙の巻付け作業や取り付け後に従来行っていたパテで隙間を埋めたり、壁紙を貼り足したりする後工程での作業が不要になるため、ニッチ（１）の取付け作業が容易になり、作業時間も短縮される。
（３）また、ニッチ本体（２）の周縁には鍔部（２ｆ）が延長されて設けられているので、壁穴（１２ａ）の口径をニッチ本体（２）の外形寸法よりも多少大きくして、両者の間に隙間ができる寸法に形成することが可能である。これにより、壁穴（１２ａ）に対するニッチ本体（２）の挿通作業が容易になり、前記隙間があっても鍔部（２ｆ）によって、該隙間と壁穴（１２ａ）の内縁部（１２ｃ）は被覆されているから前方から見えることが無く、美感が向上し得る。  
【００３０】
また、壁穴（１２ａ）を形成する加工作業も、多少の誤差が許容されるので容易になる。
（４）また、ニッチ（１）を壁（１２）の壁穴（１２ａ）に取り付けるに際して、壁（１２）の後面側から作業する必要が殆どないので、新規に建築する建物の壁（１２）のみならず既存の壁（１２）に対してもその前面側から壁穴（１２ａ）を加工するのみにより、調節取付け部材（６）を介在して、ニッチ（１）を壁穴（１２ａ）に取付けることができ、適用範囲が極めて広い。
【００３１】
本発明の収納筐体の取付け構造及び収納筐体の取付け方法によれば次に示す効果がある。
（５）先ず、本発明では、収納筐体（３１）を壁（１２）に形成された壁穴（１２ａ）に取り付けるに際して、両者の間に調節取付け部材（３６）を介在させ、該調節取付け部材（３６）の調節ボルト（３９）の操作によって該壁穴（１２ａ）の内縁部（１２ｃ）を押圧的に挟持して、該調節取付け部材（３６）を取り付けるようにしている。  
【００３２】
従って、壁（１２）の厚さ（ｔ）が異なったとしても、調節取付け部材（３６）の調節ボルト（３９）の締付け具合を変えて前後に移動調節すればよいので、種々の厚さ（ｔ）の壁（１２）に対して収納筐体（３１）を取り付けることが可能であり、便利である。
（６）また、予め調節取付け部材（３６）のみを壁穴（１２ａ）の内縁部（１２ａ）に取り付けておけば、後は収納筐体（３１）を壁穴（１２ａ）に挿入して固定手段（３７）で収納本体（３２）と調節取付け部材（３６）を固定するだけで取り付けが完了する。  
【００３３】
従って、収納筐体（３１）を壁穴（１２ａ）に取り付ける際に必要とされる壁紙の巻付け作業や取付け後に必要とされるパテで隙間を埋めたり、壁紙を貼り足したりする後工程での作業が不要になるため、収納筐体（３１）の取付け作業が容易になり、作業時間も短縮される。
（７）また、収納本体（３２）から壁面（１２ｂ）に平行な方向に延びる凸部（３２ｆ）を設けたことにより、収納本体（３２）の壁穴（１２ａ）に対する嵌込み量の調整が容易になる。  
【００３４】
更に、上記凸部（３２ｆ）を収納本体（３２）の側枠部（４０）前端部の全周に亘って形成される鍔部（３２ｆ）とした場合には、壁穴（１２ａ）の口径を収納本体（３２）の外形寸法よりも多少大きくして、両者の間に隙間ができる寸法に形成することが可能になる。これにより、壁穴（１２ａ）に対する収納本体（３２）の挿通作業が容易になり、前記隙間があっても鍔部（３２ｆ）によって、該隙間と壁穴（１２ａ）の内縁部（１２ｃ）は被覆されているから前方から見えることが無く、美観が向上し得る。  
【００３５】
また、壁穴（１２ａ）を形成する加工作業も、多少の誤差が許容されるので容易になる。
（８）また、収納筐体（３１）を壁（１２）の壁穴（１２ａ）に取り付けるに際して、壁（１２）の後面側から作業する必要が殆どないので、新規に建築する建物の壁（１２）のみならず既存の壁（１２）に対してもその前面側から壁穴（１２ａ）を加工するのみにより、調節取付け部材（３６）を介在して、収納筐体（３１）を壁穴（１２ａ）に取り付けることができ、適用範囲が極めて広い。
（９）また、前記収納本体（３２）の前面部に開閉自在の扉（５０）を取付けた場合には、収納本体（３２）の内部の空間（３２ｓ）や該空間（３２ｓ）内に収納した収納物が外部から見えなくなるから美観が向上する。  
【００３６】
また、上記扉（５０）の上部に投入口（５２）を形成し、該扉（５０）の裏面側に収納内箱（５３）を配置した場合には、扉（５０）の拡開動作によって収納内箱（５３）も一体になって手前に移動するから、収納物（５１）の取り出し作業が容易になる。特に該収納内箱（５３）を、ゴミを捨てるダストボックスに使用した場合の利便性が向上する。
【図面の簡単な説明】
【００３７】
【図１】本発明の第１の実施形態によるニッチの取付け構造を示す、ニッチを壁穴に取り付けた状態の斜視図である。
【図２】本発明の第１の実施形態によるニッチの取付け構造を示す、ニッチを壁穴に取り付ける前の状態の分解斜視図である。
【図３】本発明の第１の実施形態によるニッチの取付け構造を示す、壁穴に調節取付け部材を取り付けた状態の斜視図である。
【図４】本発明の第１の実施形態によるニッチの取付け構造を示す、ニッチを壁穴に取り付ける際の状態の背面側からの斜視図である。
【図５】本発明の第１の実施形態によるニッチの取付け構造を示す、ニッチを壁穴に取り付けた状態の背面側からの斜視図である。
【図６】ニッチの取り付けに使用する調節取付け部材を示す正面図である。
【図７】ニッチの取り付けに使用する調節取付け部材を示す側面図である。
【図８】ニッチを取り付ける前の壁と壁穴を示す平断面図である。
【図９】壁穴の内縁部に調節取付け部材を取り付けた状態を示す平断面図である。
【図１０】壁穴にニッチを取り付けた状態を示す平断面図である。
【図１１】壁穴にニッチを取り付けた状態を示す側断面図である。
【図１２】本発明の第１の実施形態によるニッチの取付け構造によって壁穴に取り付けたニッチの使用状態を示す正面図である。
【図１３】ニッチ本体の側枠部と鍔部の形状を異ならせたニッチの使用状態を示す正面図である。
【図１４】本発明の第２の実施形態による収納筐体の取付け構造を示す、収納筐体を壁穴に取り付けた状態の斜視図である。
【図１５】本発明の第２の実施形態による収納筐体の取付け構造を示す、壁穴に調節取付け部材を取り付けた状態の斜視図である。
【図１６】本発明の第２の実施形態による収納筐体の取付け構造を示す、収納筐体を壁穴に取り付けた状態の正面図である。
【図１７】本発明の第２の実施形態による収納筐体の取付け構造を示す、収納筐体を壁穴に取り付けた状態の側断面図である。
【図１８】本発明の第２の実施形態による収納筐体の取付け構造を示す、収納筐体を壁穴に取り付けた状態の平断面図である。
【図１９】本発明の第２の実施形態による収納筐体の取付け構造を示す、図１７中のＡ部の拡大図である。
【図２０】本発明の第２の実施形態による収納筐体の取付け構造を示す、図１７中のＢ部の拡大図である。
【発明を実施するための形態】
【００３８】
以下、本発明によるニッチ等の取付け構造及びニッチ等の取付け方法について、図示の実施形態を例にとって具体的に説明する。  
尚、以下の説明では、最初に第１の実施形態として、ニッチの取付け構造について説明し、続いて該ニッチを壁穴に取り付ける取付け手順の説明と併せてニッチの取付け方法について説明する。
【００３９】
次に第２の実施形態として、収納筐体の取付け構造についても説明し、続いて該収納筐体を壁穴に取り付ける取付け手順の説明と併せて収納筐体の取付け方法について説明する。
（１）ニッチの取付け構造（図１乃至図１２参照）
ここで説明するニッチの取付け構造は、壁１２に形成された壁穴１２ａにニッチ１を取り付けるための構造であり、ニッチ１と少なくとも一対の調節取付け部材６とを備えることによって基本的に構成されている。  
【００４０】
そして、本実施形態では、建築物内部の壁１２に対して一例として矩形状の壁穴１２ａを形成し、該矩形状の壁穴１２ａに対して取り付けるのに好適なニッチ１と調節取付け部材６とを備えるニッチの取付け構造が図示されている。
【００４１】
ニッチ１は、内部に花瓶２１（図１２参照）に入れた花や各種の置き物、写真２３等（図１３参照）の各種の物品を展示するための空間２ｓを形成し、壁１２の壁穴１２ａに取り付けられる、前面が開放された箱形状のニッチ本体２と、該ニッチ本体２の前端部から壁面１２ｂに平行な方向へ延びる鍔部２ｆと、を備えることによって一例として構成されている。尚、鍔部２ｆは美観上はニッチ本体２の全周に設けることが好ましいが、必ずしもその必要は無く、少なくとも後述する調節取付け部材６の第１の支持部８ａに対応する箇所に設ければよい。  
【００４２】
そして、本実施形態では、上述したように壁穴１２ａが矩形状であることから、前記ニッチ本体２は角箱形状をしており、前記鍔部２ｆは矩形枠形状に形成されている。
ニッチ本体２は、上板部２ａ、下板部２ｂ及び左右の側板部２ｃ、２ｄで上下左右の四方を囲った側枠部２０と、該側枠部２０の背面を閉塞する背板部２ｅと、を備えることによって一例として構成されている。そして、ニッチ本体２の材料としては一例として金属製平板材料を箱形状に折り曲げたものや木製の板材を箱形状に組み立てたものが使用できる。  
【００４３】
また、ニッチ本体２の側枠部２０の外形寸法は、壁穴１２ａの口径よりも幾分小さめに設定されている。
鍔部２ｆは、前記ニッチ本体２の前端部を壁面１２ｂに沿って外方に張り出させた矩形枠形状の部材であり、該鍔部２ｆの上下左右の外周縁は、後方に向けて折り返されており、この折り返された部分が折返し部２ｇになっている。  
【００４４】
また、上記折返し部２ｇの後方端部２ｈが、壁面１２ｂに当接乃至近接して配置されるようになっており、折返し部２ｇの厚さ分、壁面１２ｂから前方に張り出して前記鍔部２ｆが位置するようになっている。
【００４５】
そして、上記鍔部２ｆの材料としては一例として金属製平板材料を矩形枠形状に折り曲げたものが使用でき、本実施形態では同じく金属製平板材料によって形成される上述したニッチ本体２と一体に成形された鍔部２ｆと折返し部２ｇとが図示されている。  
【００４６】
尚、ニッチ本体２と鍔部２ｆとが別材料によって構成されている場合には、両者を組み合わせて固着して使用することも勿論可能である。
また、上記鍔部２ｆの折返し部２ｇの内面と、上記ニッチ本体２の側枠部２０を構成している上板部２ａ、下板部２ｂ、左右の側板部２ｃ、２ｄの夫々の外面との間には、上下左右に無端状に連接された矩形状の溝部２ｉが形成されている。  
【００４７】
この他、前記ニッチ本体２の上板部２ａの中央には、一例として角穴状の貫通穴２ｊが開口されており、該貫通穴２ｊの左右には、１個ずつ、ねじ穴２ｋが刻設されている。尚、この貫通穴２ｊには、後述するコンセントボックス４が下方から挿嵌される。
【００４８】
調節取付け部材６は、一組の取付け部材本体８と調節ボルト９を備えることによって一例として構成されており、本実施形態では、図３に示す如く、壁穴１２ａの左右の内縁部１２ｃに対し、二組ずつ、二対四組の調節取付け部材６が使用されている。
【００４９】
取付け部材本体８は、図６及び図７に示す如く、前後に対向するように配置される一例として幅狭の前板部８ａと、該前板部８ａよりも幅広の後板部８ｂと、これらの内方端縁を接続する奥行き方向Ｙに延びる側板部８ｃと、を備える断面コ字形又はＵ字形（以下、本明細書中では、断面コ字形等、と言う）の板材によって一例として構成されている。  
【００５０】
そして、当該取付け部材本体８の前板部８ａが第１の支持部８ａとして機能し、当該取付け部材本体８の後板部８ｂが第２の支持部８ｂとして機能するように構成されている。尚、取付け部材本体８の材料としては、金属製平板材料を断面コ字形等に折り曲げて成形したものが一例として使用できるが、断面コ字形等の形鋼材を適宜の長さに切断して成形したものを使用することも可能である。
【００５１】
調節ボルト９は、前記取付け部材本体８の後方の第２の支持部８ｂに形成されている図示しない、ねじ穴と螺合する軸部９ａと、該軸部９ａの後方端部に設けられる操作つまみ９ｂと、該軸部９ａの前方端部に設けられる押圧部９ｃと、を備えることによって一例として構成されている。  
【００５２】
そして、調節ボルト９の軸部９ａと押圧部９ｃの材料としては、金属製材料が一例として適用でき、調節ボルト９の操作つまみ９ｂの材料としては、合成樹脂材料が一例として適用できる。尚、調節ボルト９は美観の上から後方の第２の支持部８ｂに取付けるのが好ましいが、場合によっては前方の第１の支持部８ａに取付けてもよいことは勿論である。
【００５３】
また、調節ボルト９と支持部８ａ又は８ｂのねじ穴との螺合構成に限ることなく、要は調節ボルト９に相当する部材を前後方向へ調節的に移動させて後述する如く壁穴１２ａの内縁部１２ｃを締め付けるものであればよく、例えば軸部９ａが所定の回転操作部材により回転して周知の傾斜カム面機構等を介して上記壁穴１２ａの内縁部１２ｃを締め付けるようにしてもよい。
【００５４】
また、本実施形態では、前記ニッチ本体２の下板部２ｂの上面に、前記ニッチ本体２の左右の側板部２ｃ、２ｄの内壁面と係合し、前方に庇状に延びる底板部３が取り付けられている。  
【００５５】
底板部３は、前方の左右のコーナー部が丸く加工された矩形板状の部材であり、前記左右の側板部２ｃ、２ｄと係合する個所には、前記鍔部２ｆの幅寸法分の切り欠きが一例として形成されている。  
【００５６】
尚、底板部３の材料としては、強化ガラス、木、スチール等が適用でき、この底板部３を設けることでニッチ本体２の空間２ｓ内に設置された物品の落下を防止することができ、下方からのゴミの侵入を防止することができる。
【００５７】
また、前記鍔部２ｆの後面の溝部２ｉと、前記取付け部材本体８の第１支持部８ａの前面には夫々、一対の面ファスナー７ｂ、１０が貼設されている。  
また、前記底板部３の下面と前記ニッチ本体２の下板部２ｂの上面にも夫々、一対の面ファスナー７ａ、１１が貼設されている。  
【００５８】
そして、これらの面ファスナー７ｂ、１０、７ａ、１１としては、繰り返し着脱が可能で、係合により必要な固着力が確保できる種々の構造の面ファスナーが使用でき、本実施形態では一例として押圧接着タイプの合成樹脂製の面ファスナーを適用している。また、前記底板部３を強化ガラスによって形成した場合には、透明色の面ファスナーの使用が望ましい。尚、図１０では鍔部２ｆの後面の溝部２ｉに面ファスナー７ａが取り付けられている。
【００５９】
コンセントボックス４は、ニッチ本体２の空間２ｓに展示される物品に照明を当てる目的等のために使用される。具体的には、照明器具であるＬＥＤライト１３や口金式の電球を取り付けるためのソケットや電源のＯＮ、ＯＦＦを切り替えるスイッチ、あるいは交流電源を直流電源に変換するためのＡＣアダプター４ａや各種コネクター４ｅ等をボックスの外部に備え、ボックスの内部に配線部品や電子基板等が収容されている。  
【００６０】
また、上記コンセントボックス４の底部には、該コンセントボックス４の底面よりも一回り大きな金属製等の底板４ｂが一体に設けられており、該底板４ｂには、前述した、ねじ２２の貫通用の穴４ｃが形成されている。尚、図１２では、ねじ２２が４本描かれているが、内方の２本のねじ２２は、コンセントボックス４と底板４ｂとを接続するねじである。
【００６１】
また、上記コンセントボックス４から延びるコード４ｄの一部は、図示は省略するが、予め貫通穴２ｊに通して上方に繰り出した後、ニッチ本体２の背板部２ｅの背面を回って下方に延び、下板部２ｂ及び底板部３の下面の適宜の部位に形成されている穴部を通って上方に引き出され、底板部３の上面に設置されるスポットライトとして機能する、ＬＥＤライト等に接続される。  
【００６２】
また、コンセントボックス４から延びる他のコード４ｄは、ＡＣアダプター４ａに接続され、更に外部の交流電源へと接続される。
この他、前記コンセントボックス４の底板４ｂ又は前記ニッチ本体２の背板部２ｅには吊下げ用のフック１４が取り付けられるようになっている。このフック１４には、自宅や車の鍵あるいは写真２３や絵画等を入れた額等を吊り下げることができるように構成されている。  
【００６３】
尚、上記フック１４は一例としてスチール製で、ネオジウム磁石等によって形成される吸着板１５によって上記底板４ｂや背板部２ｅ等の適宜の位置に取り付けられる。
（２）ニッチの取付け方法（図１乃至図１２参照）
ここで説明するニッチの取付け方法は、（Ａ）ニッチ準備工程Ｐ１と、（Ｂ）調節取付け部材準備工程Ｐ２と、（Ｃ）調節取付け部材取付け工程Ｐ３と、（Ｄ）ニッチ本体挿通工程Ｐ４と、（Ｅ）鍔部取付け工程Ｐ５と、を備えることによって基本的に構成されている。  
【００６４】
また、本実施形態では、更に（Ｆ）底板部取付け工程Ｐ６と、（Ｇ）コンセントボックス取付け工程Ｐ７が追加されている。  
以下、ニッチ１の取付け手順に従って、上述した各工程（Ａ）〜（Ｇ）の内容を具体的に説明する。
（Ａ）ニッチ準備工程（図２及び図８参照）
ニッチ準備工程Ｐ１は、内部に空間２ｓを有し、壁１２の壁穴１２ａに取り付けられる、前面が開放された箱形状のニッチ本体２と、該ニッチ本体２の前端部から壁面１２ｂに平行な外方向に延びる鍔部２ｆとを有するニッチ１を用意する工程である。  
【００６５】
即ち、本実施形態では、前述した角箱形状のニッチ本体２と矩形枠形状の鍔部２ｆとを一体に備えたニッチ１を用意する。尚、本工程において、ニッチ本体２の下板部２ａの上面に底板部３を取り付けることも可能であるが、本実施形態では底板部３は後述する底板部取付け工程Ｐ６で取り付けることとする。
【００６６】
また、左右の鍔部２ｆの後面の溝部２ｉには、前述した面ファスナー１０と対になる一方の面ファスナー７ｂを片側に２枚ずつ、計４枚、所定の位置に貼設しておく。  
そして、ニッチ本体２の側枠部２０の形状に合わせて、該側枠部２０よりも一回り大きな壁穴１２ａを形成する。尚、従来の工法では、壁穴１２ａを形成した後、壁紙を壁穴１２ａに巻き付ける作業が行われていたが、本実施形態によるニッチの取付け方法では、ニッチ１を取り付けることによって鍔部２ｆによって壁穴１２ａの内縁部１２ｃが被覆されるため、上記壁紙の巻き付け作業は不要である。
（Ｂ）調節取付け部材準備工程（図６及び図７参照）
調節取付け部材準備工程Ｐ２は、第１及び第２の支持部８ａ、８ｂを有する取付け部材本体８と、後方の第２の支持部８ｂに対して前後方向に移動可能に螺合状態で取り付けられ、押圧部９ｃを有する調節ボルト９と、を備える少なくとも一対の調節取付け部材６を用意する工程である。  
【００６７】
即ち、本実施形態では、前述した断面コ字形等の取付け部材本体８が用意され、後方の第２の支持部８ｂに形成されている図示しないネジ穴に螺合する軸部９ａと、該軸部９ａの後端部に設けられる操作つまみ９ｂと、該軸部９ａの前端部に設けられる押圧部９ｃと、を備えた調節ボルト９が用意される。
【００６８】
また、取付け部材本体８の幅狭の前方の第１の支持部（８ａ）の前面には、前述した面ファスナー７ｂと対になる他方の面ファスナー１０を貼設しておく。また、押圧部９Ｃの前面と前方の第１の支持部８ａの後面との間の間隔Ｓは、ニッチ１を取り付ける壁１２の厚さｔよりも多少広めに調節しておく。  
【００６９】
そして、このように調節され、面ファスナー１０が貼節された調節取付け部材６を四組用意する。
（Ｃ）調節取付け部材取付け工程（図３及び図９参照）
調節取付け部材取付け工程Ｐ３は、前記各調節取付け部材６を前記壁穴１２ａに対して、第１の支持部８ａの後面と調節ボルト９の押圧部９ｃの前面との間に該壁穴１２ａの内縁部１２ｃを位置させて、前記調節ボルト９による螺合操作によって該内縁部１２ｃを押圧的に挟持した状態で取り付ける工程である。  
【００７０】
即ち、本実施形態では、図３に示す如く、面ファスナー１０が貼設されている第１の支持部８ａを前方、側板部８ｃを内方に位置させて、四組の調節取付け部材６を壁穴１２ａの左右の内縁部１２ｃの上下の所定の位置に取り付ける。
【００７１】
具体的には、壁穴１２ａに手を入れて、壁１２の内部に手を回して、前記操作つまみ９ｂを掴み、操作つまみ９ｂを締付け方向に回して行く。上記操作つまみ９ｂの締付け方向の回転に伴って、軸部９ａの前端部の押圧部９ｃが前方に向けて移動する。  
【００７２】
そして、上記押圧部９ｃを壁穴１２ａの内縁部１２ｃの後面に押圧的に当接させれば調節ボルト９の締め付けが完了する。
（Ｄ）ニッチ本体挿通工程（図３、図４及び図５参照）
ニッチ本体挿通工程Ｐ４は、ニッチ１を前記各調節取付け部材６が取り付けられた壁穴１２ａに対して、前記ニッチ本体２から延びる鍔部２ｆが壁面１２ｂに当接ないし近接するまで、ニッチ本体２を挿通せしめる工程である。
【００７３】
即ち、本実施形態では、図３中、矢印Ａで示す方向にニッチ１を移動させて、ニッチ本体２の側枠部２０を壁穴１２ａに挿通させる。ニッチ１を矢印Ａで示す方向に移動させて行くと、鍔部２ｆの後面の溝部２ｉに貼設されている面ファスナー７ｂが壁穴１２ａの内縁部１２ｃに取り付けられている取付け部材本体８の第１の支持部（８ａ）の前面に貼設されている面ファスナー１０に当接し、押圧接着されてニッチ本体２の挿通は完了する。      
【００７４】
これにより、ニッチ１は、調節取付け部材６を介して壁穴１２ａに固着されるから、ニッチ１自体の取付けに要する作業者の労力は、単にニッチ本体２の挿通作業のみである。
（Ｅ）鍔部取付け工程（図５及び図１０、１１参照）
鍔部取付け工程Ｐ５は、前記ニッチ本体挿通工程Ｐ４の中で同時に行われていることになる。
【００７５】
そして、上記鍔部２ｆの取付けが完了した状態では、前記鍔部２ｆの後面の溝部２ｉ内に、前記取付け部材本体８の第１の支持部（８ａ）が挿入される。
（Ｆ）底板部取付け工程（図１、２及び図１０乃至図１２参照）
底板部取付け工程Ｐ６は、前記ニッチ本体２の下板部２ｂの上面に、前記ニッチ本体２の左右の側板部２ｃ、２ｄの内壁面と係合し、前方に庇状に延びる底板部３を取り付ける工程である。  
【００７６】
即ち、一対の面ファスナー７ａ、１１の一方の面ファスナー１１が貼設されている面を下にした状態で底板部３を、ニッチ本体２の内部の空間２ｓ内に入れ、ニッチ本体２の左右の側板部２ｃ、２ｄに底板部３に形成されている切り欠きを係合させる。
【００７７】
そして、底板部３の下面の面ファスナー１１がニッチ本体２の下板部２ｂの上面に貼設されている一対の面ファスナー７ａに当接し、押圧接着されることによって、該底板部３はニッチ本体２に固着される。  
【００７８】
従って、底板部３の固着に要した作業者の労力は、底板部３の下方へ押圧的に移動させる操作のみである。
（Ｇ）コンセントボックス取付け工程（図１、２及び図１１、１２参照）
コンセントボックス取付け工程Ｐ７は、壁穴１２ａに取り付けられたニッチ本体２に対して、更にコンセントボックス４を取り付ける工程である。  
【００７９】
即ち、図２に示す如く、コンセントボックス４を下方から持ち上げ、前記ニッチ本体２の上板部２ａに形成されている貫通穴２ｊに挿嵌させる。コンセントボックス４の底板４ｂの上面がニッチ本体２の上板部２ａの下面に当接した位置でコンセントボックス４の挿嵌は終了し、２本のねじ２２を穴４ｃを介して該上板部２ａのねじ穴２ｋにねじ込めばコンセントボックス４の取り付けは完了する。
【００８０】
尚、コンセントボックス４の取り付け後は、壁１２の背面側に回り込まなければ、コード４ｄの配線作業はできない。従って、壁１２の前面側のみで作業する場合には、コンセントボックス４を取り付ける前の段階でコード４ｄの主な配線を済ませておく。例えばコード４ｄを貫通穴２ｊから上方へ引き出した後にニッチ２の背面を回して下板部２ｂ及び底板３に設けた貫通穴（図示せず）から上方へ貫通させてニッチ２の前方へ引き出しておき、この状態でニッチ２を壁穴１２ａに取付けた後にコード４ｄを前方へ引っ張ってそのたるみを無くしておけばよい。又、コード４ｄをＵ字形に引き回して予めコネクタ４ｅを介してコンセントボックス４の下方へ引き出すようにしておいてもよい。
【００８１】
また、必要に応じてコンセントボックス４の底板４ｂや背板部２ｅ等に吸着板１５を吸着させて必要な数のフック１４を取り付ける。
以上で、ニッチ１の一連の取り付けが完了し、図１２に示す如く、ニッチ本体２の内部の空間２ｓを利用して、花を入れた花瓶２１等の物品を飾ったり、フック１４に家や車の鍵２４等の物品を吊り下げて使用する。  
【００８２】
そして、このようにして構成される本実施形態によるニッチの取付け構造及びニッチの取付け方法によれば、別段の固定作業を必要とすることなく、ニッチ１を壁面１２ｂに容易に取り付けることができ、取り付け後の美感に優れ、種々の厚さｔの壁１２に対応し得るニッチの取付け構造とニッチの取付け方法を提供することが可能になる。
（３）収納筐体の取付け構造（図１４乃至図２０参照）
ここで説明する収納筐体の取付け構造は、壁１２に形成された壁穴１２ａ（図１５参照）に収納筐体３１を取り付けるための構造であり、収納筐体３１と少なくとも一対の調節取付け部材３６とを備えることによって基本的に構成されている。  
【００８３】
そして、本実施形態では、建築物内部の壁１２に対して一例として矩形状の壁穴１２ａを形成し、該矩形状の壁穴１２ａに対して一例としてダストボックスとして利用できる収納筐体３１と調節取付け部材３６とを備える収納筐体の取付け構造が図示されている。
【００８４】
収納筐体３１は、内部に収納物５１（図１４参照）を直接入れたり、本実施形態のように収納物５１を入れる収納内箱５３の格納スペースとなる空間３２ｓを形成し、壁１２の壁穴１２ａに取り付けられる、前面が開放された箱形状の収納本体３２と、該収納本体３２の前端部から壁面１２ｂに平行な方向に延びる鍔部３２ｆと、を備えることによって一例として構成されている。そして、本実施形態では、鍔部３２ｆが収納本体３２の側枠部４０（図１６参照）における前端部全周に亘って形成される鍔部３２ｆによって形成されている。尚、鍔部３２ｆは、図示の鍔部３２ｆのように美観上は収納本体３２の全周に設けることが好ましいが、必ずしもその必要は無く、少なくとも後述する調節取付け部材３６の第１の支持部３８ａに対応する箇所に凸部状に設ければよい。  
【００８５】
そして、本実施形態では、上述したように壁穴１２ａが矩形状であることから、前記収納本体３２は、図１６に示す如く、角箱形状をしており、前記鍔部３２ｆは矩形枠形状に形成されている。
【００８６】
収納本体３２は、上板部３２ａ、下板部３２ｂ及び左右の側板部３２ｃ、３２ｄで上下左右の四方を囲った側枠部４０と、該側枠部４０の背面を閉塞する背板部３２ｅと、を備えることによって一例として構成されている。そして、収納本体３２の材料としては一例として金属製平板材料を箱形状に折り曲げたものやビスや溶接等によって箱形状に組み立てたものが使用できる。  
【００８７】
また、収納本体３２の側枠部４０の外形寸法は、壁穴１２ａの口径よりも幾分小さめに設定されている。
鍔部３２ｆは、図１９及び図２０に示す如く、前記収納本体３２の前端部を壁面１２ｂに沿って外方に張り出させた矩形枠形状の部材であり、該鍔部３２ｆの上下左右の外周縁は、後方に向けて折り返されており、この折り返された部分が折返し部３２ｇになっている。  
【００８８】
また、上記折返し部３２ｇの後方端部３２ｈが、壁面１２ｂに当接乃至近接して配置されるようになっており、折返し部３２ｇの厚さ分、壁面１２ｂから前方に張り出して前記鍔部３２ｆが位置するようになっている。
【００８９】
そして、上記鍔部３２ｆの材料としては一例として金属製平板材料を矩形枠形状に折り曲げたものが使用でき、本実施形態では同じく金属製平板材料によって形成される上述した収納本体３２と一体に成形された鍔部３２ｆと折返し部３２ｇとが図示されている。  
【００９０】
尚、収納本体３２と鍔部３２ｆとが別材料によって構成されている場合には、両者を組み合わせて固着して使用することも勿論可能である。
また、上記鍔部３２ｆの折返し部３２ｇの内面と、上記収納本体３２の側枠部４０を構成している上板部３２ａ、下板部３２ｂ、左右の側板部３２ｃ、３２ｄの夫々の外面との間には、上下左右に無端状に連接された矩形状の溝部３２ｉが形成されている。  
【００９１】
この他、前記収納本体３２の上板部３２ａと下板部３２ｂの前面寄りの左右には、収納本体３２と取付け部材本体３８とを固定する場合の固定手段３７の一例である固定ビス３７の軸部を受け入れる、軸部よりも径の大きな取付け穴３２ｋが刻設されている。
【００９２】
調節取付け部材３６は、図１５、図１９及び図２０に示す如く、一組の取付け部材本体３８と調節ボルト３９を備えることによって一例として構成されており、本実施形態では、図１５に示す如く、壁穴１２ａの上下の内縁部１２ｃに対し、二組ずつ、二対四組の調節取付け部材３６が使用されている。
【００９３】
取付け部材本体３８は、図１９及び図２０に示す如く、前後に対向するように配置される前板部３８ａと、該前板部３８ａよりも高さの高い後板部３８ｂと、これらの内方端縁を接続する奥行き方向Ｙに延びる側板部３８ｃと、を備える断面コ字形等の板材によって一例として構成されている。  
【００９４】
そして、当該取付け部材本体３８の前板部３８ａが第１の支持部３８ａとして機能し、当該取付け部材本体３８の後板部３８ｂが第２の支持部３８ｂとして機能するように構成されている。尚、取付け部材本体３８の材料としては、金属製平板材料を断面コ字形等に折り曲げて成形したものが一例として使用できるが、断面コ字形等の形鋼材を適宜の長さに切断して成形したものを使用することも可能である。
【００９５】
調節ボルト３９は、前記取付け部材本体３８の後方の第２の支持部３８ｂに形成されている図示しない、ねじ穴と螺合する軸部３９ａと、該軸部３９ａの後方端部に設けられる操作部３９ｂと、該軸部３９ａの前方端部に設けられる押圧部３９ｃと、を備えることによって一例として構成されている。  
【００９６】
そして、調節ボルト３９の材料としては、金属製材料が適用でき、上記操作部３９ｂとしては、スパナ等の締付け工具と係合して強い力で締め付けることができる構造の操作部が好ましい。尚、調節ボルト３９は美観の上から後方の第２の支持部３８ｂに取り付けるのが好ましいが、場合によっては前方の第１の支持部３８ａに取り付けてもよいことは勿論である。
【００９７】
また、調節ボルト３９と、第１の支持部３８ａ又は第２の支持部３８ｂのねじ穴との接続は、螺合構造に限ることなく、要は調節ボルト３９に相当する部材を前後方向へ調節的に移動させて後述する如く壁穴１２ａの内縁部１２ｃを締め付けるものであればよく、例えば軸部３９ａが所定の回転操作部材により回転して周知の傾斜カム面機構等を介して上記壁穴１２ａの内縁部１２ｃを締め付けるようにしてもよい。
【００９８】
また、本実施形態では、前記収納本体３２の開放された前面部に、その内部の空間３２ｓを覆う、開閉自在の扉５０が取り付けられており、該扉５０の上部には収納物５１を入れる投入口５２が形成されている。  
【００９９】
また、上記扉５０の裏面側には、上面部５３ａが開放された収納内箱５３（図１６及び図１７参照）が配置されており、該収納内箱５３の開放された上面部５３ａの位置が上記投入口５２の下縁５２ａの位置よりも低い位置に設定されている。
【０１００】
扉５０は、前記収納本体３２の開放された前面部に配置される、該前面部とほぼ同じ大きさの矩形平板状の部材で一例として金属製平板材料によって形成されている。また、上記投入口５２は、扉５０の上部中央に設けられる角窓状の開口であり、該投入口５２の周囲の扉５０における裏面には、一例として金属製平板材料によって形成される矩形枠状の投入口ガイド５４が設けられている。
【０１０１】
また、上記扉５０の下縁部には、後方に向って延びる底板部５０ｂが一体に形成されており、上記、扉５０の左右の側縁部には、同じく後方に向って延びる左右の側板部５０ｃ、５０ｄが夫々一体に形成されている。また、上記左右の側板部５０ｃ、５０ｄの下部には、上記底板部５０ｂと接続される扇形板状の揺動板５０ｆ（図１４及び図１７参照）が形成されており、該揺動板５０ｆには、上記収納本体３２の左右の側板部３２ｃ、３２ｄの内面から突出する円板状の座金３３と係合する円弧状のガイド溝５０ｇが形成されている。
【０１０２】
また、上記扉５０の下縁寄りの底板部５０ｂと、上記収納本体３２の前端寄りの下板部３２ｂと、の間には蝶番３４が設けられており、該蝶番３４によって上記扉５０は、上記収納本体３２に対して上縁部を揺動自由端として、上記ガイド溝５０ｇによって設定される所定の揺動角度の範囲で揺動し開閉できるように構成されている。
【０１０３】
また、上記扉５０の上縁部裏面の中央には一例として矩形平板状の金属プレート５５（図１８及び図１９参照）が設けられていて、該金属プレート５５と対向する位置には該金属プレート５５に吸着することで扉５０の閉じた状態を保持するマグネットキャッチ５６が配置されている。尚、このマグネットキャッチ５６は取付けネジ５７によって収納本体３２の上板部３２ａにおける前端部中央の下面に取り付けられている。
【０１０４】
また、図示の実施形態では、上記底板部５０ｂに一例として角窓状の開口部５０ｈ（図２０参照）が形成されている。このような開口部５０ｈを設けた場合には、扉５０を収納本体３２に対して取り付けた状態でも、扉５０を図１７中、仮想線で示す拡開状態にすることで、下板部３２ｂ側の上述した固定ビス３７を締め付けたり、緩めることができるようになる。
【０１０５】
また、上記収納本体３２の下板部３２ｂと背板部３２ｅが接続されているコーナ部には、図１７に示す如く、クッション部材３５が設置されている。このクッション部材３５を設けることにより、上記扉５０を閉めた時、上記底板部５０ｂの後端寄りの下面が上記クッション部材３５の上面に当接することで、扉５０を閉める時の衝撃を吸収し得るように構成されている。尚、上記クッション部材３５としては合成ゴム等が一例として使用可能である。
【０１０６】
また、上記扉５０の背面で且つ底板部５０ｂの上面には、上記収納本体３２の内部の空間３２ｓに収まる大きさの収納内箱５３が配置されている。この収納内箱５３は、上面部５３ａが開放された角箱状の部材で一例として金属製平板材料を折り曲げたり、ビス止めあるいは溶接等によって組み立てることによって構成されている。
【０１０７】
具体的には、収納内箱５３は、図１６及び図１７に示す如く、底板部５３ｂと、左右の側板部５３ｃ、５３ｄと、前板部５３ｅと、背板部５３ｆと、を備えることによって一例として構成されている。そして、このうち上記背板部５３ｆの上縁部は、鉤状に後方に折り曲げられて引掛け部５３ｇが形成されており、当該引掛け５３ｇを利用してポリ袋等の上縁部を引っ掛けて係止できるように構成されている。
【０１０８】
尚、上述したようにポリ袋等を使用して収納筐体３１をダストボックスとして使用する場合には、上記収納内箱５３全体をカゴ状に構成したり、底板部５３ｂに扉５０の底板部５０ｂに形成したのと同様の開口部を形成することが可能である。収納内箱５３の底板部５３ｂを嵌込み式にして着脱可能に構成したり、収納内箱５３全体を扉５０から取り外すことができるように構成することも可能である。
【０１０９】
そして、このように構成される収納筐体３１は、例えば女子トイレや洗面所の壁面１２に取り付けられて、女性の生理用品、又は女性が口紅を拭いた後のティッシュペーパー等を捨てるダストボックスに使用したり、その他一般ゴミを廃棄するゴミ箱として使用することが可能である。  
【０１１０】
また、上述したようなゴミ類を入れる他、傘やゴルフクラブ、杖等の長尺な物品を含む各種収納物５１を収納する収納ボックスとして収納筐体３１を使用したり、又、場合によっては前記ニッチ１と同様の美観物を収納する収納スペースとして収納筐体３１を使用することが可能である。
（４）収納筐体の取付け方法（図１４乃至図２０参照）
ここで説明する収納筐体の取付け方法は、（Ａ）筐体準備工程Ｑ１と、（Ｂ）調節取付け部材準備工程Ｑ２と、（Ｃ）調節取付け部材取付け工程Ｑ３と、（Ｄ）収納本体挿通・固定工程Ｑ４と、を備えることによって基本的に構成されている。  
【０１１１】
以下、収納筐体３１の取付け手順に従って、上述した各工程（Ａ）〜（Ｄ）の内容を具体的に説明する。
（Ａ）筐体準備工程
筐体準備工程Ｑ１は、図１６に示す如く、内部に空間３２ｓを形成し、壁１２の壁穴１２ａに取り付けられる、箱形状の収納本体３２と、該収納本体３２から壁面１２ｂに平行な方向に延びる鍔部３２ｆとを有する収納筐体３１を用意する工程である。  
【０１１２】
即ち、本実施形態では、前述した角箱形状の収納本体３２と矩形枠形状の鍔部３２ｆとを一体に備えた収納筐体３１を用意する。  
そして、収納本体３２の側枠部４０の形状に合わせて、該側枠部４０よりも一回り大きな壁穴１２ａを形成する。尚、従来の工法では、壁穴１２ａを形成した後、壁紙を壁穴１２ａに巻き付ける作業が行われていたが、本実施形態による収納筐体３１の取付け方法では、収納筐体３１を取り付けることによって鍔部３２ｆにより壁穴１２ａの内縁部１２ｃが被覆されるため、上記壁紙の巻き付け作業は不要である。
（Ｂ）調節取付け部材準備工程
調節取付け部材準備工程Ｑ２は、図１５に示す如く、第１及び第２の支持部３８ａ、３８ｂを有する取付け部材本体３８と、後方の第２の支持部３８ｂに対して前後方向に移動可能に螺合状態で取り付けられ、押圧部３９ｃを有する調節ボルト３９と、を備える少なくとも一対の調節取付け部材３６を用意する工程である。  
【０１１３】
即ち、本実施形態では、前述した断面コ字形等の取付け部材本体３８が用意され、後方の第２の支持部３８ｂに形成されている図示しないネジ穴に螺合する軸部３９ａと、該軸部３９ａの後端部に設けられる操作部３９ｂと、該軸部３９ａの前端部に設けられる押圧部３９ｃと、を備えた調節ボルト３９が用意される。尚、押圧部３９ｃの前面と前方の第１の支持部３８ａの後面との間の間隔Ｓは、収納筐体３１を取り付ける壁１２の厚さｔよりも多少広めに調節しておく。  
（Ｃ）調節取付け部材取付け工程
調節取付け部材取付け工程Ｑ３は、図１９及び図２０に示す如く、前記各調節取付け部材３６を前記壁穴１２ａに対して、第１の支持部３８ａの後面と調節ボルト３９の押圧部３９ｃの前面との間に該壁穴１２ａの内縁部１２ｃを位置させて、前記調節ボルト３９による螺合操作によって該内縁部１２ｃを押圧的に挟持した状態で取り付ける工程である。      
【０１１４】
即ち、本実施形態では、図１５に示す如く、第１の支持部３８ａを前方、側板部３８ｃを内方に位置させて、四組の調節取付け部材３６を壁穴１２ａの上下の内縁部１２ｃの左右の所定の位置に取り付ける。
【０１１５】
具体的には、壁穴１２ａに手を入れて、壁１２の内部に手を回して、前記操作部３９ｂに締付け工具を係合させ、操作部３９ｂを締付け方向に回して行く。これにより、上記操作部３９ｂの締付け方向の回転に伴って、軸部３９ａの前端部の押圧部３９ｃが前方に向けて移動する。そして、上記押圧部３９ｃを壁穴１２ａの内縁部１２ｃの後面に押圧的に当接させれば調節取付け部材３９の取り付けが完了する。
（Ｄ）収納本体挿通・固定工程
収納本体挿通・固定工程Ｑ４は、図１４及び図１５に示す如く、収納筐体３１を前記各調節取付け部材３６が取り付けられた壁穴１２ａに対して、前記収納本体３２から延びる鍔部３２ｆが壁面１２ｂに当接ないし近接するまで、収納本体３２を挿通させ、該収納本体３２と前記調節取付け部材３６とを固定する工程である。
【０１１６】
即ち、本実施形態では、図１５中、矢印Ａで示す方向に収納筐体３１を移動させて、収納本体３２の側枠部４０を壁穴１２ａに挿通させる。収納本体３２を矢印Ａで示す方向に移動させて行くと、鍔部３２ｆの折返し部３２ｇの後方端部３２ｈが壁穴１２ａの内縁部１２ｃの前面に当接乃至近接した状態になって収納本体３２の挿通は完了する。
【０１１７】
続いて、図１９及び図２０に示す如く、固定ビス３７の軸部にワッシャー４１を嵌め、収納本体３２の上板部３２ａと下板部３２ｂの夫々の内方から、外方に位置する取付け部材３８に向けて固定ビス３７を締め込む。そして、固定ビス３７を完全に締め付けることによって収納本体３２は調節取付け部材３６を介して壁穴１２ａの内縁部１２ｃに固定される。
【０１１８】
以上が本発明の基本的な実施形態であるが、本発明のニッチ等の取付け構造及びニッチ等の取付け方法は、上述した実施形態に限定されるものではなく、本発明の要旨を逸脱しない範囲内の部分的構成の変更や省略、あるいは当業者において周知、慣用の技術を追加することが可能である。  
【０１１９】
例えば、ニッチ本体２の側枠部２０は角箱形状に限らず円形箱形状、多角形箱形状等、種々の形状の側枠部２０とすることが可能である。これに伴い鍔部２ｆの形状も矩形枠形状に限らず、円形枠形状や多角形枠形状等、種々の形状の鍔部２ｆとすることが可能である。
【０１２０】
図１３は、前述した実施形態におけるニッチ本体２の上板部２ａを逆Ｕ字状に湾曲させた実施形態を示しており、これに伴い、該上板部２ａから外方へ延びている鍔部２ｆも逆Ｕ字状に湾曲した、全体としてベル型のアールトップタイプのニッチ１となっている。  
【０１２１】
また、この実施形態の場合には、コンセントボックス４の底板４ｂも上板部２ａと同じ曲率の湾曲した凹陥形状になっている。  
この他、ニッチ１の形状やサイズの違いに応じて調節取付け部材６の数を少なくしたり多くすることが可能であり、縦に長いニッチ１の場合にはニッチ本体２の空間２ｓを上下に区画する棚を設置したり、背板部２ｅにビニールシート、タイル、木製の板等から構成される化粧板を面ファスナー等によって貼り付けることも可能である。
【０１２２】
なお、ニッチ１と調節取付け部材６との固着は面ファスナーに限る必要はなく、要はニッチ本体２を矢印Ａ方向へ押し込んだときに、ニッチ本体２の鍔部２ｆ後面と調節取付け部材６の前方の第１の支持部８ａ前面とが固着される構成であれば何でも良く、例えばニッチ本体２の鍔部２ｆ後面に後方へ伸びるよう設けた弾性の先端大径部を有する突起部を第１の支持部８ａ前面に設けた凹部に挿入させてワンタッチ的且つスナップ的に弾性係合させるものでもよく、またその反対の構成でも良く、その他に種々の公知の構成を取り得る。
【０１２３】
また、収納筐体３１の扉５０の開閉方式は、前述した実施の形態のように扉５０の下縁部を支点として揺動する方式に限らず扉５０の上縁部、左右の側縁部を支点として揺動す方式、壁面１２ｂと平行な左右方向あるいは上下方向にスライドする方式、壁面１２ｂと直行する方向に取り外すことができる嵌込み方式等であってもよい。また、収納内箱５３を設けないで収納本体３２の内部の空間３２ｓに直接、収納物５１を収納する構成としてもよい。
【０１２４】
また、扉５０を閉じた状態で収納物５１を投入する必要がなければ、上記投入口５２を省略することも可能であり、収納物５１が美観物であれば、当該美観物を外部から視認できるように上記投入口５２に透明なガラス板や樹脂板を嵌めたり、扉５０全体を透明な材料で構成して収納筐体３１をディスプレイボックスとして使用することも可能である。
［産業上の利用可能性］
本発明は、住宅等の建築物の新築、リフォーム等の施工現場等で利用でき、特に壁面に対する取り付けが容易で美感に優れ、種々の厚さの壁に対応できるニッチや収納筐体等を取り付けたい場合に利用可能性を有する。
【符号の説明】
【０１２５】
１  ニッチ
２  ニッチ本体
２ａ  上板部
２ｂ  下板部
２ｃ  左側板部
２ｄ  右側板部
２ｅ  背板部
２ｆ  鍔部
２ｇ  折返し部
２ｈ  後方端部
２ｉ  溝部
２ｊ  貫通穴
２ｋ  ねじ穴
２ｓ  空間
３  底板部
４  コンセントボックス
４ａ  ＡＣアダプター
４ｂ  底板
４ｃ  穴
４ｄ  コード
４ｅ  コネクタ
６  調節取付け部材
７ａ  面ファスナー
７ｂ  面ファスナー
８  取付け部材本体
８ａ  前板部（第１の支持部）
８ｂ  後板部（第２の支持部）
８ｃ  側板部
９  調節ボルト（調節移動部材）
９ａ  軸部
９ｂ  操作つまみ
９ｃ  押圧部
１０  面ファスナー
１１  面ファスナー  
１２  壁
１２ａ  壁穴
１２ｂ  壁面
１２ｃ  内縁部
１３  ＬＥＤライト
１４  フック
１５  吸着板
２０  側枠部
２１  花瓶
２２  ねじ
２３  写真
２４  鍵
３１  収納筐体
３２  収納本体
３２ａ  上板部
３２ｂ  下板部
３２ｃ  左側板部
３２ｄ  右側板部
３２ｅ  背板部
３２ｆ  鍔部（凸部）
３２ｇ  折返し部
３２ｈ  後方端部
３２ｉ  溝部
３２ｋ  取付け穴
３２ｓ  空間
３３  座金
３４  蝶番
３５  クッション部材
３６  調節取付け部材
３７  固定ビス（固定手段）
３８  取付け部材本体
３８ａ  前板部（第１の支持部）
３８ｂ  後板部（第２の支持部）
３８ｃ  側板部
３９  調節ボルト
３９ａ  軸部
３９ｂ  操作部
３９ｃ  押圧部
４０  側枠部
４１  ワッシャー
５０  扉
５０ｂ  底板部
５０ｃ  左側板部
５０ｄ  右側板部
５０ｆ  揺動板
５０ｇ  ガイド溝
５０ｈ  開口部
５１  収納物
５２  投入口
５２ａ  下縁
５３  収納内箱
５３ａ  上面部
５３ｂ  底板部
５３ｃ  左側板部
５３ｄ  右側板部
５３ｅ  前板部
５３ｆ  背板部
５３ｇ  引掛け部
５４  投入口ガイド
５５  金属プレート
５６  マグネットキャッチ
５７  取付けネジ
Ｐ１  ニッチ準備工程
Ｐ２  調節取付け部材準備工程
Ｐ３  調節取付け部材取付け工程
Ｐ４  ニッチ本体挿通工程
Ｐ５  鍔部取付け工程
Ｐ６  底板部取付け工程
Ｐ７  コンセントボックス取付け工程
Ｑ１  筐体準備工程
Ｑ２  調節取付け部材準備工程
Ｑ３  調節取付け部材取付け工程
Ｑ４  収納本体挿通・固定工程
ｔ  厚さ
Ｙ  奥行き方向
Ｓ  間隔
Ａ  矢印
Ｘ  幅方向
【図１】
2015194067.tif 000003
【図２】
2015194067.tif 000004
【図３】
2015194067.tif 000005
【図４】
2015194067.tif 000006
【図５】
2015194067.tif 000007
【図６】
2015194067.tif 000008
【図７】
2015194067.tif 000009
【図８】
2015194067.tif 000010
【図９】
2015194067.tif 000011
【図１０】
2015194067.tif 000012
【図１１】
2015194067.tif 000013
【図１２】
2015194067.tif 000014
【図１３】
2015194067.tif 000015
【図１４】
2015194067.tif 000016
【図１５】
2015194067.tif 000017
【図１６】
2015194067.tif 000018
【図１７】
2015194067.tif 000019
【図１８】
2015194067.tif 000020
【図１９】
2015194067.tif 000021
【図２０】
2015194067.tif 000022